(57)【要約】  チップペーパーは、表面層および裏面層を備え、表面層は、下記式（１）を満足する表面性状を有する。式（１）：−８．２×Ｒｓｋ−０．２×Ｒｃ＜０（式中、Ｒｓｋは表面のスキューネス、Ｒｃは平均高さ）。
2017122291.tif 000002
【特許請求の範囲】
【請求項１】
表面層および裏面層を備え、
前記表面層は、下記式（１）を満足する表面性状を有することを特徴とするチップペーパー。
式（１）：−８．２×Ｒｓｋ−０．２×Ｒｃ＜０
（式中、Ｒｓｋは表面のスキューネス、Ｒｃは平均高さ）
【請求項２】
前記表面層は、下記式（２）を満足する表面性状を有することを特徴とする、請求項１に記載のチップペーパー。
式（２）：−８．２×Ｒｓｋ−０．２×Ｒｃ＜−２０
【請求項３】
前記表面層は、部分的に結合した繊維の集合体を含むことを特徴とする請求項１または２に記載のチップペーパー。
【請求項４】
前記表面層は、不織布であることを特徴とする請求項１または２に記載のチップペーパー。
【請求項５】
前記不織布は、レーヨン繊維またはポリオレフィン繊維を含むことを特徴とする請求項４に記載のチップペーパー。
【請求項６】
前記不織布は、０．８ｄｔｅｘ以上の太さを有する繊維を含み、かつ、１０ｇｓｍ以上の坪量を有することを特徴とする、請求項４または５に記載のチップペーパー。
【請求項７】
前記不織布は、３．３ｄｔｅｘ以上の太さを有する繊維を含み、かつ、１０ｇｓｍ以上の坪量を有することを特徴とする、請求項４または５に記載のチップペーパー。
【請求項８】
前記不織布は、高分子からなるコート剤を含むことを特徴とする請求項４から７までのいずれか一項に記載のチップペーパー。
【請求項９】
前記コート剤は、澱粉、ニトロセルロース、ポリビニルアルコール、またはこれらの組み合わせからなることを特徴とする請求項８に記載のチップペーパー。
【請求項１０】
前記表面層と前記裏面層とは、水系接着剤またはホットメルト系接着剤によって貼り合わされていることを特徴とする請求項１から９までのいずれか一項に記載のチップペーパー。
【請求項１１】
前記裏面層の前記表面層と対向する面には、装飾が施されていること特徴とする請求項１から１０までのいずれか一項に記載のチップペーパー。
【請求項１２】
前記表面層は、フッ素系樹脂またはシリコン系樹脂からなる表面改質剤を表面に有することを特徴とする請求項１から１１までのいずれか一項に記載のチップペーパー。
【請求項１３】
前記表面層はエンボスパターンを有することを特徴とする請求項１から１２までのいずれか一項に記載のチップペーパー。
【請求項１４】
たばこロッドと、
フィルターと、
前記たばこロッドと前記フィルターとを接続する、チップペーパーと
を備え、
前記チップペーパーは、請求項１から１３までのいずれか一項に記載のチップペーパーであることを特徴とするフィルター付き喫煙物品。
【発明の詳細な説明】
【技術分野】
【０００１】
本発明はチップペーパーおよびフィルター付き喫煙物品に関する。
【背景技術】
【０００２】
フィルター付き喫煙物品、例えば、フィルター付きシガレットは、シガレットロッドとフィルターとを突合せ、フィルターの外周面および突合せ部近傍のシガレットロッドの外周面をチップペーパーで巻き、一体化したものである。【０００３】
フィルター付きシガレットを、唇に口紅を付けている状態で喫煙すると、喫煙者の唇に付着していた口紅がチップペーパーに付着し、唇から口紅が取れ化粧直しが必要になることや、口紅がチップペーパーに付着し、シガレットの外観が損なれること等により喫煙者が不快感を抱くことがある。【０００４】
特許文献１には、赤色を基色にしたタバコフィルター包装を使用することにより、タバコフィルター包装に付着した口紅を目立たなくし、口紅がタバコフィルター包装に付着してシガレットの外観が損なわれることによる不快感を軽減することができるフィルター付シガレットが開示されている。
【先行技術文献】
【特許文献】
【０００５】
【特許文献１】特開平１０−１３６９６２号公報
【発明の概要】
【発明が解決しようとする課題】
【０００６】
しかしながら、特許文献１に開示されているタバコフィルター包装は、口紅のタバコフィルター包装への付着そのものを防止するものではない。【０００７】
本発明は、フィルター付き喫煙物品の喫煙時に、口紅がチップペーパー表面に付着することを軽減することができるチップペーパーおよびフィルター付き喫煙物品を提供することを課題とする。
【課題を解決するための手段】
【０００８】
本発明によると、表面層および裏面層を備え、表面層は、下記式（１）を満足する表面性状を有することを特徴とするチップペーパーが提供される。【０００９】
式（１）：−８．２×Ｒｓｋ−０．２×Ｒｃ＜０
（式中、Ｒｓｋは表面のスキューネス、Ｒｃは平均高さ）
【発明の効果】
【００１０】
本発明は、フィルター付き喫煙物品の喫煙時に口紅等がチップペーパー表面に付着することを軽減できる。
【図面の簡単な説明】
【００１１】
【図１】図１は、第１の実施形態に係るチップペーパーの概略断面図である。
【図２】図２は、不織布の概略拡大図である。
【図３】図３は、第２の実施形態に係るチップペーパーの概略断面図である。
【図４】図４は、第３の実施形態に係るチップペーパーの概略断面図である。
【図５】図５は、第４の実施形態に係るチップペーパーを示し、（Ａ）はその上表面に装飾部を備える裏面層の斜視図、および（Ｂ）はチップペーパーの全体斜視図である。
【図６】図６は、図５のＶＩ−ＶＩ線に沿った概略断面図である。
【図７】図７は、第５の実施形態に係るチップペーパーの概略断面図である。
【図８】図８は、第６の実施形態に係るチップペーパーの概略断面図である。
【図９】図９は、第７の実施形態に係るチップペーパーの概略断面図である。
【図１０】図１０は、第８の実施形態に係るフィルター付きシガレットを示す斜視図である。
【図１１】図１１は、レオメーターを使用して、チップペーパーへ口紅を付着させる方法について説明する図である。
【図１２】図１２は、表面粗さおよび色差ΔＥとの関係を示す図である。
【図１３】図１３は、官能評価の結果を示す図である。
【発明を実施するための形態】
【００１２】
以下に、図面を参照しながら、いくつかの実施形態について説明する。実施形態を通して共通の要素には同一の符号を付すものとし、重複する説明は省略する。また、各図は実施形態の理解を促すための模式図であり、その形状や寸法、比などは実際と異なる個所がある。また、本明細書において、相対的な位置関係を示すために、図面に対応させて「上」、「下」等の用語を適宜用いるが、これは絶対的な位置関係を規定するものではない。
【００１３】
（第１の実施形態）
図１は、第１の実施形態に係るチップペーパー１の概略断面図である。チップペーパー１は、表面層１１と裏面層１２とを備えている。
【００１４】
表面層１１は、式（１）：−８．２×Ｒｓｋ−０．２×Ｒｃ＜０を満たす表面性状を有している。式（１）中、Ｒｓｋはスキューネス、Ｒｃは平均高さを表す。チップペーパーが式（１）に示す表面性状を有していることにより、唇とチップペーパーとの接触面積を減らすことができる。表面層１１は、式（２）：−８．２×Ｒｓｋ−０．２×Ｒｃ＜−２０を満たす表面性状を有していることが、より好ましい。上記の式（１）および式（２）に示す表面性状については後述する。
【００１５】
表面層１１は、通常上表面の形状（凹凸形状）が上記式（１）で規定される表面性状を産み出す素材で形成されている。そのような素材の例は、部分的に結合した繊維の集合体、例えば、不織布を含む。図２に、このような不織布の平面の位置部を拡大して示す。不織布を構成する複数の繊維（不織布用繊維）１３は、結合部１４において、溶着物１５を介して互いに結合して集合体を形成している。繊維１３は、不織布用の繊維として当該分野で知られている繊維、例えば、レーヨン繊維、酢酸セルロース繊維、ポリエチレンテレフタラート（ＰＥＴ）繊維、ナイロン繊維、ポリ乳酸繊維、ポリオレフィン繊維等であり得る。溶着物１５は、例えばポリビニルアルコール（ＰＶＡ）繊維、ポリエチレングリコール（ＰＥＧ）繊維、ビニロン繊維等のバインダー繊維が後述する表面層１１および裏面層１２を重ね合わせ乾燥する工程において溶融したものであり、不織布用繊維１３同士を結合している。不織布は、不織布用繊維１３およびバインダー繊維に加えて、パルプを含んでいてもよい。不織布は、０．８ｄｔｅｘ以上の太さを有する繊維１３を含み、かつ、１０ｇｓｍ以上の坪量を有していることが好ましい。不織布は、３．３ｄｔｅｘ以上の太さを有する繊維１３を含み、かつ、１０ｇｓｍ以上の坪量を有していることがさらに好ましい。通常、不織布用繊維１３の太さは、繊維の原料の種類や不織布の用途によって様々であるが、０．０００１ｄｔｅｘから１０００ｄｔｅｘを超えるものまで存在する。また、通常の不織布の坪量は、目的によって様々である。一つの好ましい実施形態において、不織布は、その構成繊維のそれぞれが、０．８ｄｔｅｘ以上、２０ｄｔｅｘ以下の太さを有し、かつ１０ｇｓｍ以上、５０ｇｓｍ以下の坪量を有する。もう一つの好ましい実施形態において、不織布は、その構成繊維のそれぞれが、３．３ｄｔｅｘ以上、２０ｄｔｅｘ以下の太さを有し、かつ１０ｇｓｍ以上、５０ｇｓｍ以下の坪量を有する。また、不織布は、食添染料などの染料によって着色されていてもよい。なお、本明細書において、「不織布」は、紙を含む。一般的に、不織布を形成する方法としては、例えば、乾式法、湿式法、スパンボンド法、メルトブローン法、エアレイド法が知られている。また、不織布を構成する繊維同士を結合する方法としては、例えば、ケミカルボンド法、サーマルボンド法、ニードルパンチ法、水流交絡法が知られている。表面層１１に含まれる不織布は、湿式法により形成されており、不織布用繊維１３同士はサーマルボンド法により結合されているが、不織布の形成方法および不織布用繊維１３の結合方法としては、他の一般的に知られた方法を用いてもよい。
【００１６】
表１に、チップペーパーに要求される一般的な物性を示す。このチップペーパーに要求される一般的な物性、例えば、引張り強度等をチップペーパー１が全体として満足するために、表面層１１の下表面に裏面層１２を設けることができる。裏面層１２は、チップペーパーの材料として当該分野で知られている、例えばパルプ等で形成することができる。
【表１】
2017122291.tif 000003
【００１７】
チップペーパー１は、当業者に既知の抄紙法により、表面層１１と裏面層１２とを漉き合せることにより得ることができる。この抄紙法は、少なくとも表面層１１を構成する材料と裏面層１２を構成する材料とを漉き合せる工程と、乾燥させる工程とを含む。抄紙機としては、従来公知のもの、例えば、円網抄紙機、傾斜短網抄紙機、長網抄紙機、短網抄紙機等を用いることができ、適宜要求特性に応じて抄紙機を組み合わせることができる。この抄紙法は、例えば、円網抄紙機により表面層１１を構成する材料の懸濁液から形成された湿紙と、長網抄紙機により、裏面層１２を構成する材料の懸濁液から形成された湿紙とを漉き合せる工程を含む。そして、このように漉き合された湿紙は、従来公知の乾燥方法、例えば、ヤンキードライヤー式、多筒式、熱風式、赤外線加熱式等により乾燥することができる。一つの実施形態において、表面層１１および裏面層１２の湿紙積層体は、１００℃〜１５０℃の温度のドライヤーによって乾燥させることができる。なお、この時、ドライヤーの熱によって、表面層１１に含まれる、溶融すると接着性を有する繊維、例えば、ポリビニルアルコール（ＰＶＡ）繊維、ポリエチレングリコール（ＰＥＧ）繊維、ビニロン繊維等の繊維が溶融することによって、接着性を有する溶着物１５となり、溶着物１５は、表面層１１を構成する繊維１３同士を結合させることができる。なお、表面層１１と裏面層１２とを漉き合せる方法としては、上述の抄紙法に限定されず、他の公知の抄紙法を用いてもよい。そのような抄紙法としては、紙パルプ技術協会「紙パルプ技術便覧  １９８２」２８４頁から３０５頁に記載されている方法を用いることができる。
【００１８】
従来のチップペーパーは、一般的に使用されている印刷用紙と同じく、異なる物性を持つ２層を漉き合せた構造ではなく、１層構造であり、表面と裏面の表面特性はほぼ同じとなっていて、それら２面の平滑性が高い。そのため、従来のチップペーパーを備えるフィルター付きシガレットでは喫煙の際に、喫煙者の唇とチップペーパーとが密着してしまう傾向にある。その結果、喫煙者の唇に付着している口紅等が、チップペーパーに移りやすくなる。また、従来のチップペーパーでは、喫煙者の唇の状態や環境によっては、シガレット喫煙時にチップペーパーから唇をリリースする際に、喫煙者の唇がチップペーパーに付着する場合が有り、その付着が強い際には唇の皮が剥がれることすらある。
【００１９】
しかし、本実施形態に係るチップペーパー１は、上記式（１）を満たす表面性状を有する表面層１１を備えていることにより、唇とチップペーパー１との接触面積を低減することができるため、口紅等の、喫煙者の唇の表面に付着している物質がチップペーパー１に付着することを軽減することができる。さらに、口紅を使用していない場合でも、チップペーパーに喫煙者の唇の皮が付着したり、リリースする際に唇の皮が剥がれる等の不快な現象の発生を防止することができる。このシガレットをリリースする時のチップペーパーと唇とが離れやすい品質についてリップリリース性が優れていると表現する。
【００２０】
（第２の実施形態）
図３に、第２の実施形態に係るチップペーパー２の概略断面図を示す。第２の実施形態に係るチップペーパー２は、表面層１１と裏面層１２とが接着剤層２１により貼り合わされている以外は、第１の実施形態に係るチップペーパー１と同様の構成を有する。
【００２１】
接着剤層２１としては、水系接着剤またはホットメルト系接着剤を用いることができる。水系接着剤としては、例えば、澱粉系、セルロース系、ＰＶＡ系、ポリ酢酸ビニル（ＰＶＡｃ）系、エチレン酢酸ビニル（ＥＶＡ）系接着剤を使用することができる。ホットメルト系接着剤としては、樹脂系、ポリエチレン（ＰＥ）系、ポリプロピレン（ＰＰ）系接着剤を使用することができる。接着剤として樹脂系接着剤を使用した場合は、樹脂系接着剤層２１が光沢を有し、樹脂系接着剤層２１に入射した光を反射するため、表面層１１の繊維の隙間から光が漏れ出し独特な風合いを持つ優美なチップペーパーを提供することができる。また、接着剤層２１としては、上述の接着剤と染料を混合することによって着色したものを用いてもよい。
【００２２】
（第３の実施形態）
図４に、第３の実施形態に係るチップペーパー３の概略断面図を示す。第３の実施形態に係るチップペーパー３は、表面層１１の上表面にコート剤層３１を備えていること以外は、第１の実施形態に係るチップペーパー１と同様の構成を有する。
【００２３】
コート剤層３１は、表面層１１の上表面にコート剤を塗布することにより設けることができる。コート剤層３１を設けることにより、表面層１１の繊維が脱落することを防止することができる。コート剤としては、例えば、澱粉、ニトロセルロース、ポリビニルアルコール、またはこれらの組み合わせを使用することができる。コート剤は、表面層１１の表面性状を大きく変化させない塗布量が好ましい。例えば、０．８ｇｓｍ以下とすることが不織布の表面性状を担保する観点から好ましい。
【００２４】
（第４の実施形態）
次に、図５および図６を参照して、第４の実施形態に係るチップペーパー４を説明する。
【００２５】
図５は、第４の実施形態に係るチップペーパー４を示し、（Ａ）はその裏面層１２の斜視図であり、（Ｂ）はチップペーパー４全体の斜視図である。図６は、図５（Ｂ）の線ＶＩ−ＶＩ線に沿った概略断面図である。第４の実施形態に係るチップペーパー４は、表面層１１と、裏面層１２と、接着剤層２１を備えている。図５（Ａ）に示すように、裏面層１２はその上表面（表面層１１と対面する面）に装飾部４１を備える。装飾部４１は、裏面層１２の上表面に装飾模様を印刷することによって設けることができる。チップペーパー４は、裏面層１２に装飾部４１が設けられていること以外は、第２の実施形態に係るチップペーパー２と同様の構成を有するが、接着剤層２１（図６）として用いる接着剤は、装飾部４１が表面層１１から透けて見えるように、透明であることが好ましい。
【００２６】
図５（Ｂ）に示すように、チップペーパー４においては、裏面層１２の上表面に装飾部４１が設けられていることにより、装飾部４１が表面層１１から透けて見え、意匠性に優れたものである。
【００２７】
（第５の実施形態）
図７に、第５の実施形態に係るチップペーパー５の概略断面図を示す。第５の実施形態に係るチップペーパー５は、表面層１１の上表面に表面改質剤層５１が設けられていること以外は、第１の実施形態に係るチップペーパー１と同様の構成を有する。
【００２８】
表面改質材層５１は、表面層１１の上表面に、例えば口紅等のチップペーパーへの付着を抑制する、表面改質剤を塗布すること等により設けることができる。表面改質剤としては、例えば、フッ素系樹脂またはシリコン系樹脂等を用いることができる。表面改質剤層５１が形成されていることにより、チップペーパー５の表面への物質の付着をより一層抑制することができる。表面改質剤層５１の厚さは、表面改質剤として使用する物質及びチップペーパー５に求める口紅の付着軽減効果に応じて、適宜調整することができる。
【００２９】
（第６の実施形態）
図８に、第６の実施形態に係るチップペーパーの概略断面図を示す。第６の実施形態に係るチップペーパー６は、表面層１１にエンボスパターンが施されていること以外は、第１の実施形態に係るチップペーパー１と同様の構成を有する。エンボスパターンは凸部６１および凹部６２からなる。
【００３０】
エンボスパターンは、一対のエンボス加工ロールの間にチップペーパーを通過されることにより設けることができる。表面層１１にエンボスパターンを設けることにより、より一層の付着軽減効果を得られると同時に、意匠性の優れたチップペーパーを提供することができる。エンボス加工は、表面層１１の表面性状が損なわれない程度に行うことができる。
【００３１】
（第７の実施形態)
図９に、第７の実施形態に係るチップペーパーの概略断面図を示す。第７の実施形態に係るチップペーパー７は、表面層１１が、例えば、互いに離間した複数の着色部７１を備えていること以外は、第２の実施形態に係るチップペーパー２と同様の構成を有する。
【００３２】
各着色部７１は、表面層１１の上表面から裏面層１２と対向する面まで延在している。着色部７１は、表面層１１の上部から、グラビア印刷やインクジェット印刷などによりインキ等の着色材を印刷することにより形成することができる。表面層１１に着色部７１を設けることにより、通常の平坦な表面を有するチップペーパーに印刷した場合とは異なる風合いを発現することができる。
【００３３】
（第８の実施形態）
次に、第８の実施形態に係るフィルター付き喫煙物品を説明する。ここでは、フィルター付き喫煙物品の一例としてフィルター付きシガレットについて説明するが、これに限らず、フィルター付き喫煙物品は、フィルターが接続された他の喫煙物品である、例えば、シガー、シガリロ、電気加熱/化学反応熱を利用した非燃焼型喫煙具、非加熱型喫煙具等であってもよい。
【００３４】
図１０に示すように、フィルター付きシガレット８は、シガレットロッド８１と、シガレットロッド８１と端部同士を突き合わせて配置されたフィルター８２と、フィルター８２の外周面全体および突合せ近傍のシガレットロッド８１の外周面部分を巻回し、シガレットロッド８１およびフィルター８２を一体化するチップペーパー８３とを備えている。シガレットロッド８１は、たばこ刻み８４と、たばこ刻み８４を円柱状に巻回する巻紙８５とを備えている。フィルター８２は、例えばアセテート繊維またはパルプの不織布を束ねたり、折畳んだりして成形したフィルター材（図示せず）と、このフィルター材を円柱状に捲くフィルターペーパー８６とを備えている。
【００３５】
このような実施形態に係るフィルター付きシガレット８は、前述した第１〜第７の実施形態に係るチップペーパーの効果からその機能特性（引張強度および不透明度等）を維持しつつ、喫煙者の唇表面の口紅がチップペーパーへ付着することを軽減することができる。
【００３６】
（実施例）
チップペーパーの表面性状と口紅の付着具合との関係を明らかにするために、試験サンプルを用いて、（１）付着具合の測定および（２）官能評価を行った。以下、図面を参照しながら詳細に説明する。
【００３７】
まず、特性がそれぞれ異なる試験サンプルを準備した。試験サンプルは、表面層と裏面層とを備える。表面層は、不織布からなる。不織布は、木材パルプおよび／またはレーヨン繊維から手漉きによって作製し、試験サンプル毎に異なる表面粗さ、繊維長および坪量を有している。レーヨン繊維としては、０．１ｄｔｅｘ〜１１．０ｄｔｅｘの太さを有するものを使用した。また、繊維脱落防止用にコート剤として、ポリビニルアルコールまたは澱粉を用いた試験サンプルも作製した。
【００３８】
裏面層としては、チップペーパーの材料として一般的に用いられる、木材パルプを使用した紙を用いた。また、表面層と裏面層とを、酢酸ビニル系接着剤または樹脂系接着剤を使用して貼り合わせた試験サンプルも作製した。
【００３９】
なお、表面粗さの測定は、株式会社ミツトヨ製のサーフテストＳＪ−２１０（商品名）を用いて測定した。表面粗さの測定における、フィルタ処理には、ガウシアンフィルタを用いた。また、検出機には、スタイラス先端Ｒ＝２μｍおよび先端角度６０°の形状のものを用いた。測定条件は、規格条件をＩＳＯ１９９７に準拠するように設定し、あらさ曲線Ｒを、カットオフ値λｃ＝２．５ｍｍ、λｓ＝８μｍ、区間数（Ｎ）４に設定して求めた。
【００４０】
（１）付着具合の測定
口紅への付着再現
フィルター付きシガレットを実際に使用した場合の、喫煙者の唇に付けた口紅のチップペーパーへの付着を、レオメーターを使用して再現した。図１１は、レオメーター（サン科学製、ＣＲ−３０００ＥＸ−Ｓ）を使用して、チップペーパー９３に口紅９５を付着させる方法について説明する図である。
【００４１】
図１１（Ａ）は、レオメーターに試験サンプルのチップペーパー９３をセットした状態を示す概略図である。
【００４２】
レオメーターは、直径１０ｍｍの円柱形のプランジャー９１と、試験サンプルのチップペーパー９３を載置する測定台９２と、を備えている。次に、レオメーターの測定台９２の上面に試験サンプルのチップペーパー９３を載置する。チップペーパー９３の上面に、ゲル９４を載置する。ゲル９４は、人間の唇と同様の弾力や柔らかさを有しており、１ｍｍ変形時の圧力が０．５３Ｎ±０．３４となる物性を有している、エクシルコーポレーション製、品番：Ｈ０−１、「人肌のゲル」（商品名）を使用した。ゲル９４の下表面、すなわちチップペーパー９３側表面には、口紅９５が塗られている。口紅９５としては、マックスファクター・エンジェリックリップ・ブリリアンテ（商品名、製品番号Ｂ５４２）を使用した。ゲル９４の上面に、平板９６を載置する。平板９６は、プランジャー９１をゲル９４およびチップペーパー９３の平面に対して垂直方向に押し込む際に、チップペーパー９３にかかる圧力を均一にすることができる。平板９６は、例えば、プラスチック製の平板である。これら、チップペーパー９３、ゲル９４、および平板９６は、プランジャー９１と測定台９２とにより挟持されている。
【００４３】
図１１（Ｂ）は、プランジャー９１を平板９６、ゲル９４およびチップペーパー９３の平面に対して垂直方向に押し込むことにより、平板９６、チップペーパー９３およびゲル９４に対して垂直方向に一定の圧力を一定の時間かけた状態を示す図である。このときにチップペーパー９３にかかる圧力は、実際にフィルター付きシガレットを喫煙する際にチップペーパーにかかる圧力と略同一となるように、最大圧力が２．５Ｎで、加圧開始から約１秒後に最大圧力に達し、約２秒後に圧力が０Ｎになるように設定した。また、このときプランジャー９１の測定台９２方向への移動速度は７０ｍｍ／分となるように設定した。これにより、ゲル９４に付着していた口紅９５がチップペーパー９３に転写され、実際に試験サンプルのチップペーパー９３を備えるフィルター付きシガレットを使用した際の、チップペーパー９３への口紅９５の付着を再現することができる。
【００４４】
口紅付着度合の測定
チップペーパーへの口紅の付着度合の測定は、前述のようにレオメーターを使用して口紅をチップペーパーに付着させた後に、チップペーパーの口紅が付着した箇所と口紅が付着していない箇所との色差ΔＥを測定することにより行った。色差ΔＥの測定は、分光光度計（ｘ−ｒｉｔｅ社製、品名ＳｐｅｃｔｒｏＥｙｅ）を用いて、ＣＩＥで規定されている色差表示法のＬ*ａ*ｂ*表色系の座標の平均値を求め、チップペーパーの口紅が付着した箇所と口紅が付着していない箇所との色差ΔＥを算出することにより行った。なお、分光光度計による測定条件は、光源Ｄ６５、光源フィルターなし、視野角は２°とした。
【００４５】
結果
以上により得られた測定結果について説明する。なお、比較例として３７ｇｓｍの既存の白色チップペーパーについても同様の測定を行った結果、色差ΔＥは５１．２であった。
【００４６】
まず、レーヨン配合率が９０重量％、繊維状ＰＶＡの配合率が１０重量％であり、坪量が３０ｇｓｍの試験サンプルについての、繊維長、繊維の太さおよび色差ΔＥの関係を表２に示す。表２から明らかなように、繊維の太さが大きくなるにつれてΔＥが低下しており、不織布の繊維は太い方が好ましいことがわかる。また、繊維の太さが０．８ｄｔｅｘ以上であれば、比較例の色差ΔＥと比べて色差ΔＥが１０程度低く、口紅付着軽減効果が得られることが分かった。さらに、繊維の太さが３．３ｄｔｅｘ以上であれば、比較例の色差ΔＥと比べて色差ΔＥが約３０以上低く、より一層の口紅付着軽減効果が得られることが分かった。
【表２】
2017122291.tif 000004
【００４７】
また、繊維状ＰＶＡの配合率が１０重量％、レーヨンの配合率が表３に示す通りであり、配合率の残りは木材パルプからなり、レーヨンの太さが７．８ｄｔｅｘの試験サンプルについての、坪量、不織布のレーヨン配合率および色差ΔＥの関係を表３に示す。まず坪量と色差ΔＥとの関係について見てみると、坪量が低くなるにつれて、色差ΔＥも低くなっていることから、坪量は低いことが好ましいことが分かる。しかし、表３には示していないが、坪量が１０ｇｓｍを下回る不織布では、不織布の繊維の間にゲルが潜り込み裏面層にまで到達してしまい口紅付着軽減効果が著しく損なわれる結果が得られたため、不織布の坪量は１０ｇｓｍ以上であることが好ましいことが分かった。次に、不織布のレーヨン配合率と色差ΔＥとの関係について見てみると、不織布のレーヨン配合率が高くなるにつれて色差ΔＥが低くなり、不織布のレーヨン配合率は高いほど口紅付着軽減効果が高くなることが分かる。
【表３】
2017122291.tif 000005
【００４８】
また、試験サンプルの中では、レーヨン配合率が９０重量％、繊維状ＰＶＡの配合率が１０重量％、坪量が１５ｇｓｍおよび澱粉コート剤を使用した試験サンプルのチップペーパーが最も高い口紅付着軽減効果が得られた。
【００４９】
表面粗さと色差との関係
また、以上により求められた表面粗さおよび色差ΔＥについてのデータを用いて、色差ΔＥを目的変数に、様々な粗さパラメータを従属変数にした重回帰分析を行った。その結果、粗さパラメーターについては、スキューネスＲｓｋと平均高さＲｃの２変数をもって色差ΔＥを推定できることがわかった。すなわち、式：ΔＥ＝−８．１８×Ｒｓｋ−０．２１×Ｒｃ＋４０により、スキューネスＲｓｋと平均高さＲｃとから色差ΔＥを求め、この色差ΔＥからチップペーパーへの口紅の付着具合を推定できることが分かった。なお、相関分析による重相関係数の二乗は、ｒ２＝０．８２であった。また、ＲｓｋおよびＲｃのそれぞれの単相関分析による単相関係数の二乗（ｒ２）は、Ｒｓｋではｒ２＝０．２８、Ｒｃではｒ２＝０．６７であった。色差ΔＥを下げたければ、すなわち口紅の付着軽減効果を高めたければ、唇とチップペーパーとの接触面積を減らすためにＲｓｋを上げる、および／または表面層の繊維の間へ唇が食い込むことによる影響を軽減するためにＲｃを上げればよい。
【００５０】
図１２は、スキューネス（Ｒｓｋ）をＸ軸座標値、平均高さ（Ｒｃ）をＹ軸座標値として、３８個の試験サンプルで測定された結果をプロットし、表面粗さと色差ΔＥとの関係を示す図である。なお、図中には、測定された色差ΔＥが、ΔＥ＜１０である試験サンプルについては白い丸のプロット、１０≦ΔＥ＜２０である試験サンプルは黒い丸のプロット、２０≦ΔＥ＜３０である試験サンプルは白い四角のプロット、３０≦ΔＥ＜４０である試験サンプルは黒い四角のプロットでそれぞれ示している。また、比較例として、３７ｇｓｍの既存の白色チップペーパーを用いた場合の測定結果も白い三角のプロットで示している。
【００５１】
また、図中の線は、直線：ΔＥ＝−８．１８×Ｒｓｋ−０．２１×Ｒｃ＋４０を表しており、直線の式中ΔＥ＝１０である場合の線（実線）、ΔＥ＝２０である場合の線（一点鎖線）、ΔＥ＝３０である場合の線（破線）、ΔＥ＝４０である場合の線（点線）を示している。
【００５２】
前述したように、比較例の３７ｇｓｍの既存の白色チップペーパーで測定された色差ΔＥが５１．２である。比較例とした３７ｇｓｍの既存の白色チップペーパーで測定された色差ΔＥと比べて、視覚的に識別可能なレベルを、マンセル色票の１歩度に該当する色差ΔＥ＝１０とすると、すなわち、比較例で測定された色差ΔＥよりも１０以上低いと識別可能なレベルとすると、図１０中にプロットされた試験サンプルのチップペーパーで測定された色差ΔＥは全て４０未満であり、識別可能なレベルにあった。
【００５３】
この結果を基にすると、３７ｇｓｍの既存の白色チップペーパーで測定された色差ΔＥから１０以上低いΔＥ＜４０を識別可能領域とするならば、式（１）：−８．２×Ｒｓｋ−０．２×Ｒｃ＜０を満たす必要がある。また、より顕著な効果として、既存の３７ｇｓｍの白色チップペーパーで測定された色差ΔＥから３０以上低い色差ΔＥ＜２０であることが必要であれば、式（２）：−８．２×Ｒｓｋ−０．２×Ｒｃ＜−２０を満たすことが必要とされる。
【００５４】
このように、唇表面の付着物のチップペーパーへの付着具合を表面層の表面性状（ＲｓｋおよびＲｃ）でパラメータ化し計算することができることがわかった。
【００５５】
（２）官能評価
女性パネル６名により、唇に口紅を付けた状態または唇に付けた口紅を一度ティッシュペーパー等で拭いた状態で、試験サンプルのチップペーパーを備えたフィルター付きシガレットを実際に使用して、チップペーパーへの口紅の付着具合についての官能評価を行った。図１３にその結果を示す。図１３は、横軸を測定された色差ΔＥ、縦軸を感覚量として、評価結果をプロットした図である。試験サンプルについての評価結果を白いひし形のプロット、比較例についての評価結果を黒いひし形のプロットで表している。なお、図中の感覚量とは、女性パネルがチップペーパーについて、口紅の付着が全くないと感じられた場合は「０」、僅かに口紅が付着していると感じた場合は「１」、口紅がやや付着していると感じられる場合には「２」、口紅が明らかに付着していると感じた場合には「３」、口紅がかなり付着していると感じられる場合には「４」、口紅が非常に付着していると感じられる場合には「５」の数値として評価してもらい、女性パネル６名から得られた数値を平均した値である。また、図中のプロットした点を囲む四角形は、１σのばらつきの範囲を表す。つまり、回答結果のばらつきが大きければ四角形が大きくなり、ばらつきが小さければ四角形が小さくなる。また、試験サンプルおよび比較例のプロットした点を結ぶ直線およびばらつきの範囲を表す四角形は、口紅をティシュ等で拭いていない場合の評価を表す場合は実線で、一度拭いた場合の評価を表す場合は点線で示している。
【００５６】
図１３から明らかなように、唇に付けた口紅をティシュ等で拭いていない場合の官能評価では、比較例では「かなり付着している」と評価されたのに対し、試験サンプルについては「やや付着している」と評価されており、チップペーパーへの口紅の付着具合の感覚量が低下している。また、色差ΔＥも、比較例では５０程度であるのに対し、試験サンプルでは３０程度と測定され、感覚量と同様に低下しており、唇に付けた口紅をティシュ等で拭いていない場合、色差ΔＥと感覚量とが相関関係を有していることが分かる。
【００５７】
また、唇に付けた口紅をティッシュ等で一度拭いた場合の官能評価では、比較例については「やや付着している」と評価されたのに対し、試験サンプルでは「僅かに付着している」と評価されており、チップペーパーへの口紅の付着具合の感覚量が低下している。また、色差ΔＥも、比較例では２０程度であるのに対し、試験サンプルでは７程度と測定され、感覚量と同様に低下しており、唇に付けた口紅をティッシュ等で一度拭いた場合でも色差ΔＥと感覚量とが相関関係を有していることが分かる。
【００５８】
また、試験サンプルのリップリリース性についても同様に測定したところ、比較例のチップペーパーと比べて圧倒的に優れたリップリリース性を有していることが分かった。
【００５９】
そこで、上記パネル６名に、試験サンプルおよび比較例のチップペーパーについて、口紅付着軽減製品として魅力を感じるか否かについてアンケートを行ったところ、比較例については全員「魅力を感じない」と回答したのに対し、試験サンプルのチップペーパーについては、１人が「非常に魅力を感じる」、１人が「かなり魅力を感じる」、３人が「やや魅力を感じる」、１人が「僅かに魅力を感じる」と答え、試験サンプルのチップペーパーは、比較例の３７ｇｓｍの既存の白色チップペーパーと比べて、圧倒的に魅力が向上していることが分かった。
【００６０】
以上のように、試験サンプルのチップペーパーは、官能評価においても有効な口紅付着軽減効果およびリップリリース性を有することが実証された。
【００６１】
なお、いくつかの実施形態について説明したが、これらの実施形態は、例示であり、発明の範囲を限定するものではない。これらの実施形態は、その他の様々な形態で実施されることができ、発明の要旨を逸脱しない範囲で、種々の変更を行うことができる。これらの実施形態およびその変形は、発明の範囲や要旨に含まれるとともに、特許請求の範囲に記載された発明とその均等の範囲に含まれる。
【符号の説明】
【００６２】
１…第１の実施形態に係るチップペーパー
１１…表面層  １２…裏面層  １３…繊維  １４…結合部  １５…溶着物
２…第２の実施形態に係るチップペーパー  ２１…接着剤層
３…第３の実施形態に係るチップペーパー  ３１…コート剤層
４…第４の実施形態に係るチップペーパー  ４１…装飾部
５…第５の実施形態に係るチップペーパー  ５１…表面改質剤層
６…第６の実施形態に係るチップペーパー  ６１…凸部  ６２…凹部
７…第７の実施形態に係るチップペーパー  ７１…着色部
８…フィルター付きシガレット
８１…シガレットロッド  ８２…フィルター  ８３…チップペーパー
８４…たばこ刻み  ８５…巻紙  ８６…フィルターペーパー
９１…プランジャー  ９２…測定台  ９３…チップペーパー
９４…ゲル  ９５…口紅  ９６…平板
【図１】
2017122291.tif 000006
【図２】
2017122291.tif 000007
【図３】
2017122291.tif 000008
【図４】
2017122291.tif 000009
【図５】
2017122291.tif 000010
【図６】
2017122291.tif 000011
【図７】
2017122291.tif 000012
【図８】
2017122291.tif 000013
【図９】
2017122291.tif 000014
【図１０】
2017122291.tif 000015
【図１１】
2017122291.tif 000016
【図１２】
2017122291.tif 000017
【図１３】
2017122291.tif 000018
【国際調査報告】
2017122291.tif 000019
2017122291.tif 000020
2017122291.tif 000021
2017122291.tif 000022